(57)【要約】【課題】リュックサックを背負う際に、リュックサック支持具を腰部にしっかりと固定し、肩に掛かる重さを分散させることができ、又、使用しない時には、コンパクトに収納することができ、しかも、リュックサックが大型化せず、かつ専用のリュックサックの購入は不要であり、さらに、リュックサックを背負ったり降ろしたりする際の取り扱いが容易なリュックサック支持具を提供する。【解決手段】リュックサック支持具に一体化した腰のベルト７を、背負う人５の腰部に装着し、本体１９は垂設されて腰の後部に接する垂直部１５と、この垂直部１５に一体的に設けられる支持棚部１３とからなる。この支持棚部１３は後方へ水平方向に突出してチュックサック３の底部２１を支持する。【選択図】図１
0003140791.tif 000002
【実用新案登録請求の範囲】
【請求項１】
腰ベルトと一体化して垂設された腰に接する垂直部と、この垂直部に設けられ水平方向へ突出してリュックサックの底部を支持する支持棚部とを有することを特徴とするリュックサック支持具。
【請求項２】
前記垂直部と支持棚部は折りたたむことができ、コンパクト化することを特徴とする請求項１記載のリュックサック支持具。
【考案の詳細な説明】
【技術分野】
【０００１】
本考案は、重いリュックサックを背負って歩く時に、背負う人の負担を軽減するリュックサック支持具の構造に関するものである。
【背景技術】
【０００２】
重いリュックサックを背負って登山する時、肩に掛かる重さの為、肩の血管を圧迫、両手のむくみを覚えることがある。そこでリュックサックの肩ベルトが同じ所にならないように分散させたり、リュックサックの底部を手で支えるようにして歩くことがよくある。しかし、登山は長時間となることからその苦痛を伴い、かつ不健康であった。
【０００３】
そして、肩に掛かる重さを分散させるために、特許文献1のように、リュックサックの腰に接する部分にパッドを一体的に設け、これにより重さの一部を腰で支持するように提案したものがある。
さらに、特許文献２のようなリュックサックと一体化する背負子を用いれば、肩に掛かる重さを分散させることができる。
また、特許文献３のように腰に巻いたベルトに設けたフックに棒状の梃子を支えさせ、この梃子の後方にネットを設けてリュックサックの底部を支え、この梃子の前方を手で押し下げることで、肩に掛かるリュックサックの重さを分散させ、リュックサックを背中から離して風通しをよくすることが可能と考えられる。
さらに、特許文献４ように腰ベルトにループ形状の面ファスナーを通して、そこに支持棚部を固定、その棚部にリュックサックの底部を載せることによって肩に掛かるリュックサックの重さを分散させ，リュックサックを背中から離して風通しをよくすることが可能と考えられる。そして、上下位置を調整し、肩に掛かるリュックサックの重さを腰へ分散させる程度を調整する。
【特許文献１】実用新案登録３０９２５１６
【特許文献２】特開２００１−１６１４４０
【特許文献３】特開２００６−３１１９８４
【特許文献４】実用新案登録３１３４８７８
【考案の開示】
【考案が解決しようとする課題】
【０００４】
しかしながら、特許文献１のように、リュックサック自体にパッドなどを設けると、リュックサックが大型化してしまい取り扱いが面倒であり、さらに、専用のリュックサックを購入しなければならず不経済である。
また、特許文献２のように、リュックサックとは別に背負子を用意すれば購入費用はやや低減できるものの、背負子と一体化したリュックサックは大型化してしまい取り扱いが面倒になる。
さらに、特許文献３によれば、ベルトや梃子はネットを介してリュックサックと実質上は一体化するものであり、リュックサックを背負ったり降ろしたりする際の取り扱いが大変に面倒になる。
そして、特許文献４のように、支持棚部にリュックサックの重量がかかり、かつ登山中の衝撃によって面ファスナーが外れ支持具にズレが生じてしまい不安定である。
【０００５】
この考案は、以上の問題点を解決するために、肩に掛かるリュックサックの重さを分散させ、しかも、リュックサックが大型化せず、かつ専用のリュックサックの購入は不要であり、そして、リュックサックを背負ったり降ろしたりする際の取り扱いが容易、そして支持棚部をバンドで固定するのでズレも生じず、さらに、折りたたみが可能でコンパクトになることから、嵩張らずに収納できるリュックサック支持具を提供することを目的とする。
【課題を解決するための手段】
【０００６】
以上の課題を解決するために、腰ベルトと一体化して垂設された腰に接する垂直部と、この垂直部に設けられ水平方向へ突出してリュックサックの底部を支持する支持棚部とを有することを特徴とするリュックサック支持具である。
【考案の効果】
【０００７】
本考案は、腰のベルトから垂設された垂直部に設けられる指示棚部が、リュックサックの底部を支持することにより、肩に掛かるリュックサックの重さを分散させることができる。
【０００８】
さらに、このリュックサック支持具は、リュックサックと別体であり、よってリュックサックが大型化せず、かつ専用のリュックサックの購入は不要である。
また、支持棚部は、リュックサックの底部と分離しており、このため、リュックサックを背負ったり降ろしたりする際に、リュックサックは通常と同様に取り扱うことができる。また、その際にリュックサック支持具は、背負う人の腰に装着したままにすることができる。よって、取り扱いが容易である。
【０００９】
さらに、支持棚部がベルトにより固定されていることから、リュックサックが振れることなく安定した歩行が可能となり、悪路においても危険を回避できる。
【考案を実施するための最良の形態】
【００１０】
この考案の実施形態を、図１及び図２に示す。
図１、図２に示すように、この実施形態のリュックサック支持具１は、リュックサック３を背負う人５の腰に装着する。
そして、腰ベルトは左右で伸縮自在とすることによって、強く締めると支持棚部を上へ、緩めると下へと、若干の調整が可能となる。
【００１１】
図３で示すように、リュックサック支持具を蝶つがい形態とすることによって、折りたたむと板状となりコンパクトに収納できる。また、収納しないで、折りたたんだまま腰に装着してもよい。
【００１２】
（使用方法）
図２に示すように、このリュックサック支持具１を使用する際には、リュックサック支持具１が腰の後部に接する状態にて装着する。そして、ベルトの締め具合を各自に合った状態とする。
【００１３】
支持する強さは、リュックサック支持具を装着後、リュックサックの肩ベルトを調節し、肩に掛かるリュックサック３の重さを腰へ分散させる程度を調整する。また、底部を強く支持されたリュックサック３は、上体を反らせると背中から離れ、風通しがよくなる。
【００１４】
「実施形態の効果」
この実施形態によれば、腰の後部に装着されたリュックサック支持具１の支持棚部１３が、リュックサック３の底部を支持することにより、肩に掛かるリュックサック３の重さを腰へ分散させることができる。
【００１５】
このリュックサック支持具１は、リュックサック３と別体で購入できる。別体であるため、リュックサック３が大型化せず、かつ従来のような専用のリュックサック３の購入は不要である。背負う人５は、使用しなれたリュックサック３を使用し続けることができる。
【００１６】
また、支持棚部１３は、リュックサック３の底部と分離している。このため、リュックサック３を背負ったり降ろしたりする際に、リュックサック３は通常と同様に取り扱うことができる。また、その際にリュックサック支持具１は、背負う人５の腰に装着したままにすることができる。よって、リュックサック３、及びリュックサック支持具１の取り扱いが容易である。
【００１７】
「他の実施形態」
以上の実施形態では、本体１７は金属製としたが、他の実施形態では、木製やプラスチックとすることができる。
【図面の簡単な説明】
【００１８】
【図１】この考案の実施形態に係るリュックサック支持具の斜視図である。
【図２】図１のリュックサック支持具の使用形態である。
【図３】図１のリュックサック支持具を折りたたんだ斜視図（蝶つがい形態による）
【符号の説明】
【００１９】
１．リュックサック支持具  ３．リュックサック  ５．背負う人  ７．ベルト  ９．伸縮調整具
１１．バックル  １３．支持棚部  １５．垂直部  １７．本体  １９．本体を折りたたんだ斜視図（蝶つがい形態）  ２１．底部
【図１】
0003140791.tif 000003
【図２】
0003140791.tif 000004
【図３】
0003140791.tif 000005